(57)【要約】  【課題】  サムネイル表示によりコンテンツの情報が漏洩することを防ぐとともに、前記防止措置の実施状況を他ユーザーに認識させることのないＤＶＤ搭載ＨＤＤレコーダを提供する。  【解決手段】  ユーザーよりコンテンツ情報表示の指示を受けた場合に、ＤＶＤ搭載ＨＤＤレコーダ１の設定情報を参照し、コンテンツ情報擬装フラグのＯＮ／ＯＦＦの状態を確認し（Ｓ１３０）擬装フラグがＯＦＦに設定されている場合、通常通りのコンテンツ情報表示を行う（Ｓ１３５）。擬装フラグがＯＮに設定されている場合、ＨＤＤ１３に、ユーザーが作成した擬装コンテンツ情報が記憶されているかどうかを確認し（Ｓ１４０）、記憶されている場合はユーザー作成擬装コンテンツ情報を、記憶されていない場合はデフォルトの擬装コンテンツ情報を用いて、コンテンツ情報の擬装表示を行う（Ｓ１６０）。【選択図】      図１
2007058923.tif 000002
【特許請求の範囲】
【請求項１】
ＤＶＤメディアに記憶されている映像情報の詳細情報と、前記映像情報より抽出した画
像に対して縮小処理を施すことによって作成されるサムネイルと、から構成されるコンテ
ンツ情報を表示するコンテンツ情報表示手段
を備えたＤＶＤ搭載ハードディスクレコーダにおいて、
ハードディスク或いは前記ＤＶＤメディアに記憶されている前記映像情報から抽出した
前記詳細情報、或いはユーザーが作成した前記詳細情報をもとに虚偽の前記詳細情報を作
成し、作成した虚偽の前記詳細情報を擬装用詳細情報として前記ハードディスクに記憶す
る擬装用詳細情報作成手段と、
前記ハードディスク或いは前記ＤＶＤメディアに記憶されている前記映像情報から抽出
した画像、或いはユーザーが作成した画像に対して縮小処理を施すことにより擬装用サム
ネイルを作成し、作成した前記擬装用サムネイルを前記ハードディスクに記憶する擬装用
サムネイル作成手段と、
前記ＤＶＤ搭載ハードディスクレコーダの制御部が、前記ＤＶＤメディアに記録されて
いる前記コンテンツ情報の表示指示を受け付けた際に、前記コンテンツ情報の表示内容に
対して擬装を行うかどうかを定めたフラグである擬装フラグを、ユーザーからの指示によ
り設定する擬装フラグ設定手段と、
前記制御部が、前記ＤＶＤメディアに記憶されている前記コンテンツ情報の表示指示を
受け付け、かつ前記擬装フラグが前記擬装フラグ設定手段により有効に設定されている場
合に、前記擬装用詳細情報と前記擬装用サムネイルとから構成される擬装コンテンツ情報
の表示を行う擬装コンテンツ情報表示手段と、
前記制御部が、前記ＤＶＤメディアに記憶されている前記映像情報の再生指示或いは編
集指示を受け付け、かつ前記擬装フラグが前記擬装フラグ設定手段により有効に設定され
ている場合に、前記映像情報の再生および編集を制限する再生制限手段と、
前記制御部が、前記ＤＶＤメディアに記憶されている前記映像情報の再生指示を受け付
け、かつ前記擬装フラグが前記擬装フラグ設定手段により有効に設定されている場合に、
前記映像情報の内容に合わせて作成され、かつ前記ハードディスクに記録されている擬装
用映像情報を再生する擬装再生手段と、
前記制御部が、前記ＤＶＤメディアに記録されている情報の更新指示を受け付け、かつ
前記擬装フラグが前記擬装フラグ設定手段により有効に設定されている場合に、前記ＤＶ
Ｄメディアに記憶されている情報の更新を制限する更新制限手段と、
前記擬装フラグが前記擬装フラグ設定手段により有効に設定されている場合に、ユーザ
ーが操作部を用いて予め定められたキー操作を行うことにより、前記擬装フラグの設定状
態を変更することが可能である擬装フラグ変更手段と、
を備えたことを特徴とするＤＶＤ搭載ハードディスクレコーダ。
【請求項２】
光学記録媒体に記憶されている映像情報の詳細情報と、前記映像情報より抽出した画像
に対して縮小処理を施すことによって作成される代表画像と、から構成されるコンテンツ
情報を表示するコンテンツ情報表示手段
を備えた光学記録媒体再生機能付き記録再生装置において、
記憶部或いは前記光学記録媒体に記憶されている前記映像情報から抽出した前記詳細情
報、或いはユーザーが作成した前記詳細情報をもとに虚偽の前記詳細情報を作成し、作成
した虚偽の前記詳細情報を擬装用詳細情報として前記記憶部に記憶する擬装用詳細情報作
成手段と、
前記記憶部或いは前記光学記録媒体に記憶されている前記映像情報から抽出した画像、
或いはユーザーが作成した画像に対して縮小処理を施すことにより擬装用代表画像を作成
し、作成した前記擬装用代表画像を前記記憶部に記憶する擬装用代表画像作成手段と、
前記光学記録媒体再生機能付き記録再生装置の制御部が、前記光学記録媒体に記録され
ている前記コンテンツ情報の表示指示を受け付けた際に、前記コンテンツ情報の表示内容
に対して擬装を行うかどうかを定めた情報である擬装フラグを、ユーザーからの指示によ
り設定する擬装フラグ設定手段と、
前記制御部が、前記光学記録媒体に記憶されている前記コンテンツ情報の表示指示を受
け付け、かつ前記擬装フラグが前記擬装フラグ設定手段により有効に設定されている場合
に、前記擬装用詳細情報と前記擬装用代表画像とから構成される擬装コンテンツ情報の表
示を行う擬装コンテンツ情報表示手段と、
を備えたことを特徴とする光学記録媒体再生機能付き記録再生装置。
【請求項３】
前記制御部が、前記光学記録媒体に記憶されている前記映像情報の再生指示或いは編集
指示を受け付け、かつ前記擬装フラグが前記擬装フラグ設定手段により有効に設定されて
いる場合に、前記映像情報の再生および編集を制限する再生制限手段
を備えたことを特徴とする請求項２に記載の光学記録媒体再生機能付き記録再生装置。
【請求項４】
前記制御部が、前記光学記録媒体に記憶されている前記映像情報の再生指示を受け付け
、かつ前記擬装フラグが前記擬装フラグ設定手段により有効に設定されている場合に、前
記映像情報の内容に合わせて作成され、かつ前記記憶部に記録されている擬装用映像情報
を再生する擬装再生手段
を備えたことを特徴とする請求項２または請求項３に記載の光学記録媒体再生機能付き記
録再生装置。
【請求項５】
前記制御部が、前記光学記録媒体に記録されている情報の更新指示を受け付け、かつ前
記擬装フラグが前記擬装フラグ設定手段により有効に設定されている場合に、前記光学記
録媒体に記憶されている情報の更新を制限する更新制限手段
を備えたことを特徴とする請求項２乃至請求項４のいずれかに記載の光学記録媒体再生機
能付き記録再生装置。
【請求項６】
前記擬装フラグが前記擬装フラグ設定手段により有効に設定されている場合に、ユーザ
ーが操作部を用いて予め定められたキー操作を行うことにより、前記擬装フラグの設定状
態を変更することが可能である擬装フラグ変更手段
を備えたことを特徴とする請求項２乃至請求項５のいずれかに記載の光学記録媒体再生機
能付き記録再生装置。
【請求項７】
ＤＶＤメディアに記憶されている映像情報の詳細情報と、前記映像情報より抽出した画
像に対して縮小処理を施すことによって作成されるサムネイルと、から構成されるコンテ
ンツ情報を表示するコンテンツ情報表示工程
を有する記録再生方法において、
ハードディスク或いは前記ＤＶＤメディアに記憶されている前記映像情報から抽出した
前記詳細情報、或いはユーザーが作成した前記詳細情報をもとに虚偽の前記詳細情報を作
成し、作成した虚偽の前記詳細情報を擬装用詳細情報としてハードディスクに記憶する擬
装用詳細情報作成工程と、
前記ハードディスク或いは前記ＤＶＤメディアに記憶されている前記映像情報から抽出
した画像、或いはユーザーが作成した画像に対して縮小処理を施すことにより擬装用サム
ネイルを作成し、作成した前記擬装用サムネイルを前記ハードディスクに記憶する擬装用
サムネイル作成工程と、
前記ＤＶＤ搭載ハードディスクレコーダの制御部が、前記ＤＶＤメディアに記録されて
いる前記コンテンツ情報の表示指示を受け付けた際に、前記コンテンツ情報の表示内容に
対して擬装を行うかどうかを定めたフラグである擬装フラグを、ユーザーからの指示によ
り設定する擬装フラグ設定工程と、
前記制御部が、前記ＤＶＤメディアに記憶されている前記コンテンツ情報の表示指示を
受け付け、かつ前記擬装フラグが前記擬装フラグ設定工程により有効に設定されている場
合に、前記擬装用詳細情報と前記擬装用サムネイルとから構成される擬装コンテンツ情報
の表示を行う擬装コンテンツ情報表示工程と、
前記制御部が、前記ＤＶＤメディアに記憶されている前記映像情報の再生指示或いは編
集指示を受け付け、かつ前記擬装フラグが前記擬装フラグ設定工程により有効に設定され
ている場合に、前記映像情報の再生および編集を制限する再生制限工程と、
前記制御部が、前記ＤＶＤメディアに記憶されている前記映像情報の再生指示を受け付
け、かつ前記擬装フラグが前記擬装フラグ設定工程により有効に設定されている場合に、
前記映像情報の内容に合わせて作成され、かつ前記ハードディスクに記録されている擬装
用映像情報を再生する擬装再生工程と、
前記制御部が、前記ＤＶＤメディアに記録されている情報の更新指示を受け付け、かつ
前記擬装フラグが前記擬装フラグ設定工程により有効に設定されている場合に、前記ＤＶ
Ｄメディアに記憶されている情報の更新を制限する更新制限工程と、
前記擬装フラグが前記擬装フラグ設定工程により有効に設定されている場合に、ユーザ
ーが操作部を用いて予め定められたキー操作を行うことにより、前記擬装フラグの設定状
態を変更することが可能である擬装フラグ変更工程と、
を有することを特徴とする記録再生方法。
【請求項８】
光学記録媒体に記憶されている映像情報の詳細情報と、前記映像情報より抽出した画像
に対して縮小処理を施すことによって作成される代表画像と、から構成されるコンテンツ
情報を表示するコンテンツ情報表示工程
を有する記録再生方法において、
記憶部或いは前記光学記録媒体に記憶されている前記映像情報から抽出した前記詳細情
報、或いはユーザーが作成した前記詳細情報をもとに虚偽の前記詳細情報を作成し、作成
した虚偽の前記詳細情報を擬装用詳細情報として前記記憶部に記憶する擬装用詳細情報作
成工程と、
前記記憶部或いは前記光学記録媒体に記憶されている前記映像情報から抽出した画像、
或いはユーザーが作成した画像に対して縮小処理を施すことにより擬装用代表画像を作成
し、作成した前記擬装用代表画像を前記記憶部に記憶する擬装用代表画像作成工程と、
前記光学記録媒体再生機能付き記録再生装置の制御部が、前記光学記録媒体に記録され
ている前記コンテンツ情報の表示指示を受け付けた際に、前記コンテンツ情報の表示内容
に対して擬装を行うかどうかを定めた情報である擬装フラグを、ユーザーからの指示によ
り設定する擬装フラグ設定工程と、
前記制御部が、前記光学記録媒体に記憶されている前記コンテンツ情報の表示指示を受
け付け、かつ前記擬装フラグが前記擬装フラグ設定工程により有効に設定されている場合
に、前記擬装用詳細情報と前記擬装用代表画像とから構成される擬装コンテンツ情報の表
示を行う擬装コンテンツ情報表示工程と、
を有することを特徴とする記録再生方法。
【請求項９】
前記制御部が、前記光学記録媒体に記憶されている前記映像情報の再生指示或いは編集
指示を受け付け、かつ前記擬装フラグが前記擬装フラグ設定工程により有効に設定されて
いる場合に、前記映像情報の再生および編集を制限する再生制限工程
を有することを特徴とする請求項８に記載の記録再生方法。
【請求項１０】
前記制御部が、前記光学記録媒体に記憶されている前記映像情報の再生指示を受け付け
、かつ前記擬装フラグが前記擬装フラグ設定工程により有効に設定されている場合に、前
記映像情報の内容に合わせて作成され、かつ前記記憶部に記録されている擬装用映像情報
を再生する擬装再生工程
を有することを特徴とする請求項８または請求項９に記載の記録再生方法。
【請求項１１】
前記制御部が、前記光学記録媒体に記録されている情報の更新指示を受け付け、かつ前
記擬装フラグが前記擬装フラグ設定工程により有効に設定されている場合に、前記光学記
録媒体に記憶されている情報の更新を制限する更新制限工程
を有することを特徴とする請求項８乃至請求項１０のいずれかに記載の記録再生方法。
【請求項１２】
前記擬装フラグが前記擬装フラグ設定工程により有効に設定されている場合に、ユーザ
ーが操作部を用いて予め定められたキー操作を行うことにより、前記擬装フラグの設定状
態を変更することが可能である擬装フラグ変更工程
を有することを特徴とする請求項８乃至請求項１１のいずれかに記載の記録再生方法。
【発明の詳細な説明】
【技術分野】
【０００１】
本発明は、ＤＶＤ（Digital Versatile Disk）再生機能を備えたＨＤＤ（Hard Disk Dr
ive）レコーダに関するものであり、特にＤＶＤメディア（光学記録媒体）に記憶された
映像情報の内容表示をサムネイル（代表画像）を用いて行う場合における記録再生方法に
関する。
【背景技術】
【０００２】
近年、テレビ等の映像装置において処理されるコンテンツ（番組）の記録および再生を
行うための装置として、記録媒体に光学記録媒体を用いたＤＶＤレコーダ、或いは記録媒
体にハードディスクを用いたＨＤＤレコーダ等の記録再生装置が広く普及している。これ
らの記録再生装置は通常、記録（録画）したコンテンツの情報を簡易にユーザーに提示す
るために、サムネイル表示機能を備えているものが多い。
【０００３】
サムネイル表示機能とは、コンテンツの一部より抽出した画像を縮小変換することによ
りサムネイルを作成し、コンテンツ一覧画面等において、コンテンツ情報の一部としてサ
ムネイルを表示する機能である。これにより、コンテンツを再生することなく、コンテン
ツが含んでいる画像を一目で視認することが可能であり、コンテンツの概要を簡易に確認
することができる。サムネイルの作成方法としては、例えばユーザーがコンテンツ内部の
画像を指定して作成する方法、もしくは、記録再生装置がコンテンツ内部からランダムに
画像を抽出して作成する方法などがある。
【０００４】
しかしながら従来のサムネイル表示機能においては、コンテンツを再生せずにサムネイ
ルによりその内容の一部が閲覧できるため、個人情報保護の観点からすると好ましくない
場合も存在した。例えばあるユーザーが、ＤＶＤに録画したコンテンツを不特定多数のユ
ーザーに閲覧されたく無い場合、ユーザーはＤＶＤに視聴制限をかける必要がある。視聴
制限をかけることにより、他ユーザーはコンテンツを再生することが不可能となるが、サ
ムネイル表示機能により表示されるサムネイルにより、視聴制限コンテンツの内容の一部
を閲覧することが可能である。このように、従来のサムネイル表示機能は、コンテンツの
内容を簡易に確認できる反面、コンテンツの内容が漏洩しやすいという問題を持っていた
。
【０００５】
上記の問題に関連して特許文献１においては、サムネイルが不用意に提示されることに
より、コンテンツの内容が不用意に不特定多数のユーザーに認識されることを防止できる
状態で各種情報を記録媒体に記録することが可能な情報記録装置及び方法が開示されてい
る。
【０００６】
特許文献１の情報記録装置及び方法は、再生されるべき再生情報を光ディスク等の記録
媒体に記録する再生情報記録手段と、当該再生情報の内容を示す内容情報の提示を制限す
るか否かを少なくとも示す提示制御情報を前記記録媒体に記録する制御情報記録手段と、
を備えることを特徴としている。
【０００７】
特許文献１の発明によれば、記録された提示制御情報に基づいて内容情報の提示を制限
することで、当該再生情報の内容に応じて内容情報の提示を制御することができるため、
内容情報が不用意に不特定多数の他ユーザーに提示されることで再生情報の内容が不用意
に他ユーザーに認識されることを防止することが可能である。
【０００８】
また上記の問題に関連して特許文献２においては、ＨＤＤに記録されているプレイリス
ト（映像データの選択と再生を行う単位）を容易に視聴制限する機能であり、他ユーザー
に見られたくない内容や変更されたくないプレイリストがある場合に、暗証番号を設定し
、その暗証番号を入力しなければ再生できない機能を簡易な操作で再生制御ができるよう
にすることを目的とした記録媒体再生装置が開示されている。
【０００９】
特許文献２の記録媒体再生装置は、記録媒体に記録されている情報のディレクトリごと
の再生の可否を制御する第１の制御情報と、ディレクトリに属する再生リストごとの再生
の可否を制御する第２の制御情報を設定する設定手段と、暗証番号を入力するための入力
手段と、第１の制御情報と第２の制御情報がともに有効であるとき、第１の制御情報と第
２の制御情報のうちの一方の制御情報に対する暗証番号の入力に基づいて、他方の制御情
報に対する暗証番号の入力の要否を判定する判定手段とを備えることを特徴としている。
【００１０】
特許文献２の発明によれば、ユーザーは暗証番号を２度入力する必要が無くなり、操作
性を向上させることが可能である。また、１つの記録媒体を複数のユーザが、相互に機密
性を保持しながら共用することが可能である。
【００１１】
しかしながら、上記の特許文献１および特許文献２に開示されている発明においては、
視聴制限されているコンテンツのサムネイル表示を無効とすることによりコンテンツ情報
の漏洩を防止することはできるが、視聴制限をの実施状況（視聴制限を行っているかどう
か）は他ユーザーに対して認識されてしまう。このため、コンテンツの情報漏洩を防ぐと
共に視聴制限の実施状況を他ユーザーに知られたくない場合には、守秘機能としては不十
分であるという問題があった。
【特許文献１】特開２００３−１７９８７８号公報
【特許文献２】特開２００３−１２３３８９号公報
【発明の開示】
【発明が解決しようとする課題】
【００１２】
本発明は、上記の問題を解決するためになされたものであって、その目的は、視聴制限
がなされているコンテンツのコンテンツ情報がサムネイル表示により不特定多数のユーザ
ーに対して漏洩することを防ぐとともに、視聴制限の実施状況が他ユーザーにより認識さ
れることのない情報漏洩防止機能を備えたＤＶＤ搭載ハードディスクレコーダを提供する
ことにある。
【課題を解決するための手段】
【００１３】
上記目的を達成するために本発明のＤＶＤ搭載ハードディスクレコーダは、
光学記録媒体に記憶されている映像情報の詳細情報と、前記映像情報より抽出した画像
に対して縮小処理を施すことによって作成される代表画像と、から構成されるコンテンツ
情報を表示するコンテンツ情報表示手段
を備えた光学記録媒体再生機能付き記録再生装置において、
記憶部或いは前記光学記録媒体に記憶されている前記映像情報から抽出した前記詳細情
報、或いはユーザーが作成した前記詳細情報をもとに虚偽の前記詳細情報を作成し、作成
した虚偽の前記詳細情報を擬装用詳細情報として前記記憶部に記憶する擬装用詳細情報作
成手段と、
前記記憶部或いは前記光学記録媒体に記憶されている前記映像情報から抽出した画像、
或いはユーザーが作成した画像に対して縮小処理を施すことにより擬装用代表画像を作成
し、作成した前記擬装用代表画像を前記記憶部に記憶する擬装用代表画像作成手段と、
前記光学記録媒体再生機能付き記録再生装置の制御部が、前記光学記録媒体に記録され
ている前記コンテンツ情報の表示指示を受け付けた際に、前記コンテンツ情報の表示内容
に対して擬装を行うかどうかを定めた情報である擬装フラグを、ユーザーからの指示によ
り設定する擬装フラグ設定手段と、
前記制御部が、前記光学記録媒体に記憶されている前記コンテンツ情報の表示指示を受
け付け、かつ前記擬装フラグが前記擬装フラグ設定手段により有効に設定されている場合
に、前記擬装用詳細情報と前記擬装用代表画像とから構成される擬装コンテンツ情報の表
示を行う擬装コンテンツ情報表示手段と、
を備えたことを特徴としている。
【００１４】
この構成によると、
ユーザーよりコンテンツ情報の表示指示を受けた場合に、ＤＶＤ搭載ハードディスクレ
コーダ（光学記録媒体再生機能付き記録再生装置）の設定情報を参照し、コンテンツ情報
の擬装フラグのＯＮ／ＯＦＦを確認する。擬装フラグがＯＦＦに設定されている場合、通
常通りのコンテンツ情報表示を行う。擬装フラグがＯＮに設定されている場合、ＨＤＤ（
記憶部）に、ユーザー作成情報（ユーザーが予め作成した擬装表示用の擬装コンテンツ情
報）が記憶されているかどうかを確認する。ユーザー作成情報が記憶されている場合は、
ユーザー作成情報を使用してコンテンツ情報の擬装表示を行う。ユーザー作成情報が記憶
されていない場合は、予めＤＶＤ搭載ハードディスクレコーダが保持している擬装用デー
タを使用し、擬装コンテンツ情報の表示を行う。
【００１５】
またこの構成によると、ユーザーは擬装コンテンツ情報作成画面において、擬装コンテ
ンツ情報の作成処理を行うことが可能である。擬装コンテンツ情報作成画面では、ＤＶＤ
メディア（光学記録媒体）或いはＨＤＤより読み取ったデータを元に擬装用サムネイルを
作成し、擬装用サムネイルに虚偽の録画情報を付加することにより、擬装コンテンツ情報
を作成することが可能である。作成された擬装コンテンツ情報はＨＤＤに保存され、コン
テンツ情報表示処理において、擬装コンテンツ情報として使用することが可能である。
【００１６】
また、上記目的を達成するために本発明のＤＶＤ搭載ハードディスクレコーダは、
前記制御部が、前記光学記録媒体に記憶されている前記映像情報の再生指示或いは編集
指示を受け付け、かつ前記擬装フラグが前記擬装フラグ設定手段により有効に設定されて
いる場合に、前記映像情報の再生および編集を制限する再生制限手段
を備えたことを特徴としている。
【００１７】
この構成によると、
擬装フラグが有効に設定されている場合に、ＤＶＤメディアに記録されている映像情報
の再生或いは編集指示を受けた際に、例えば警告等の表示を行い、再生処理及び編集処理
を不可とすることが可能である。
【００１８】
また、上記目的を達成するために本発明のＤＶＤ搭載ハードディスクレコーダは、
前記制御部が、前記光学記録媒体に記憶されている前記映像情報の再生指示を受け付け
、かつ前記擬装フラグが前記擬装フラグ設定手段により有効に設定されている場合に、前
記映像情報の内容に合わせて作成され、かつ前記記憶部に記録されている擬装用映像情報
を再生する擬装再生手段
を備えたことを特徴としている。
【００１９】
この構成によると、
擬装フラグが有効に設定されている場合に、映像情報の再生指示を受けた際に、予めユ
ーザーによって作成され、かつＨＤＤに記憶されている擬装用映像情報（擬装コンテンツ
情報の内容に合わせて作られた映像情報）の再生を行うことが可能である。なお、擬装用
映像情報は、通常の映像情報とは別領域に保存することも可能である。
【００２０】
また、上記目的を達成するために本発明のＤＶＤ搭載ハードディスクレコーダは、
前記制御部が、前記光学記録媒体に記録されている情報の更新指示を受け付け、かつ前記
擬装フラグが前記擬装フラグ設定手段により有効に設定されている場合に、前記光学記録
媒体に記憶されている情報の更新を制限する更新制限手段
を備えたことを特徴としている。
【００２１】
この構成によると、
擬装フラグが有効に設定されている場合に、ＤＶＤメディアに記憶されている情報に対
して変更を加える指示（例えばＤＶＤメディアのフォーマット等）を受けた際に、例えば
警告等の表示を行い、ＤＶＤメディアに記憶されている情報の変更処理を不可とすること
が可能である。
【００２２】
また、上記目的を達成するために本発明のＤＶＤ搭載ハードディスクレコーダは、
前記擬装フラグが前記擬装フラグ設定手段により有効に設定されている場合に、ユーザ
ーが操作部を用いて予め定められたキー操作を行うことにより、前記擬装フラグの設定状
態を変更することが可能である擬装フラグ変更手段
を備えたことを特徴としている。
【００２３】
この構成によると、
擬装フラグが有効に設定されている場合に、解除方法を記憶しているユーザーが特定の
キー操作を行うことにより、擬装状態の解除、もしくは擬装状態の解除を行うためのパス
ワード入力画面を表示することが可能である。
【発明の効果】
【００２４】
本発明の第一の構成によれば、コンテンツ情報が他ユーザーに知られたくない場合に、
擬装が行われていることを認識されることなくコンテンツ情報の漏洩を防ぎ、個人情報の
保護を行うことが可能である。また、ユーザーは擬装コンテンツ情報をＤＶＤメディア単
位で作成し、かつＤＶＤメディアに擬装コンテンツ情報を記憶する必要がない。このため
、例えば書き込みが不可能なＤＶＤメディアにおいても、擬装表示を行うことが可能であ
る。また例えば、擬装を行うＤＶＤメディアの数が１００枚を越えるような膨大な数であ
る場合においても、一つ一つのＤＶＤメディアに対して擬装処理を施す必要がない。擬装
の実施、未実施の選択はＤＶＤ搭載ハードディスクレコーダ側の設定により行うため、ユ
ーザーにとって少ない作業量でコンテンツ情報の擬装を行うことができる。
【００２５】
本発明の第二の構成によれば、擬装機能が有効になっている状態においてＤＶＤメディ
アに記録されている映像の再生指示、或いは編集指示が発生した場合に、再生処理及び編
集処理を不可とすることにより、擬装中である映像情報の保護を行うことが可能である。
これにより、実際に記憶されている映像情報と、管理情報との関係に不整合が発生するの
を防止すると共に、擬装の実施が発覚することを防止することができる。
【００２６】
本発明の第三の構成によれば、擬装機能が有効になっている状態においてＤＶＤメディ
アに記録されている映像の再生指示が発生した場合に、予めユーザーがＨＤＤに記録して
いる擬装用映像情報を再生する。これにより、コンテンツ情報だけではなく、映像情報の
内容に関しても擬装を行うことが可能であるため、映像情報の再生が指示されても擬装の
実施が発覚することがない。
【００２７】
本発明の第四の構成によれば、擬装機能が有効になっている状態においてＨＤＤに記憶
されている情報の更新指示が発生した場合に、更新処理を不可とすることにより、擬装中
である映像情報、およびハードディスクに記憶されている各種情報の保護を行うことが可
能である。これにより、実際に記憶されているハードディスクの各種情報と、管理情報と
の関係に不整合が発生するのを防止することができる。
【００２８】
本発明の第五の構成によれば、擬装機能が有効になっている状態において擬装状態を解
除したい場合において、擬装解除用の画面が表示されることがないため、他ユーザーに擬
装実施中であることを認識されることがない。これにより、擬装状態であることが発覚す
ることなく、擬装の解除及び実行を行うことが可能である。
【発明を実施するための最良の形態】
【００２９】
本発明の実施の一形態について、図面に基づいて説明すれば、以下の通りである。
［実施の形態］
〈１．ＤＶＤ搭載ＨＤＤレコーダの内部構成について〉
ここで、本発明の第一の実施形態におけるＤＶＤ搭載ＨＤＤレコーダ１の電気回路シス
テムの要部構成を、図３のブロック図を用いながら説明する。
【００３０】
図３のブロック図に示すように、本発明のＤＶＤ搭載ＨＤＤレコーダ１は、少なくとも
、制御部１１、メモリ１２、ＨＤＤ１３、データ入力部１４、エンコーダ部１５、デコー
ダ部１６、データ出力部１７、制御プログラム記憶部１８、操作ボタン群２１、フロント
パネル２２、およびＤＶＤスロット２３を含むように構成されている。
【００３１】
制御部１１は、ＤＶＤ搭載ＨＤＤレコーダ１の各部材の駆動を有機的に制御することに
より映像情報処理（コンテンツの録画、或いは再生等）を統括制御するための中央処理装
置である。また制御部１１は、各装置（例えばＨＤＤ１３等）の制御やデータの計算、加
工処理等を行なう中枢部分となっている。
【００３２】
メモリ１２は、ＤＶＤ搭載ＨＤＤレコーダ１が保持する各種データを一時的に記憶する
媒体であり、例えば書込可能なＲＡＭ（Random Access Memory）等により構成されている
。メモリ１２は、例えば制御部１１によって各種情報処理が行われる際の処理データや、
ユーザーから受けた指示命令等を一時的に記憶しておくためのバッファメモリとしての役
割を持つ。
【００３３】
ＨＤＤ１３は、ＤＶＤ搭載ＨＤＤレコーダ１が保持する各種データ（映像情報、コンテ
ンツ情報等）を記録するための磁気記録媒体である。なお、ＨＤＤ１３は、複数の領域（
パーティション）に物理的に分割することが可能であり、記憶するデータの種別（映像情
報、コンテンツ情報等）に応じて領域別に記憶することがより望ましい。
【００３４】
データ入力部１４は、例えばデジタルチューナーなどの外部装置からデジタルデータ（
映像情報）を入力するための入力インタフェースである。また、例えばアナログデータを
入力する場合は、Ａ／Ｄコンバータ（Analog Digital Converter）を用いてアナログの映
像データおよび音声データをデジタルデータに変換して入力することが可能である。
【００３５】
エンコーダ部１５は、映像データをＭＰＥＧ２等の動画圧縮方式により圧縮（エンコー
ド）を行ったり、音声データをＤｏｌｂｙ  ＡＣ−３やＬＰＣＭ等の音声圧縮方式により
圧縮を行うための処理回路である。なお、圧縮を行うデータとしては、例えばデータ入力
部１４より入力された映像データおよび音声データ等が対象となる。
【００３６】
デコーダ部１６は、前記エンコーダ部１５等により圧縮された映像データおよび音声デ
ータを伸長（デコード）するための処理回路である。伸張が行われたデータは、例えば後
述するデータ出力部１７等を用いて外部機器に対して出力される。
【００３７】
データ出力部１７は、例えばモニターなどの外部装置に対して映像データおよび音声デ
ータを出力するための出力インタフェースである。なお、例えば出力先の機器がアナログ
インタフェースしか備えていない場合は、Ｄ／Ａコンバータ（Digital Analog Converter
）を用いてデジタルの映像データおよび音声データをアナログデータに変換して出力する
ことが可能である。
【００３８】
制御プログラム記憶部１８は、例えば制御部１１を用いた各種処理（例えば映像データ
の入出力制御等）を行うためのプログラムデータを記憶するための媒体であり、例えば情
報の読み出しのみが可能なＲＯＭ（Read Only Memory）等が用いられる。
【００３９】
操作ボタン群２１は、ユーザーが番組の録画および録画予約等の各種指示をＤＶＤ搭載
ＨＤＤレコーダ１に対して行なうための入力インターフェースである。フロントパネル２
２は、ＤＶＤ搭載ＨＤＤレコーダ１の各種情報をユーザーに対して表示するためのユーザ
ーインタフェースである。
【００４０】
ＤＶＤスロット２３は、ＤＶＤメディア９１を格納し、ＤＶＤメディア９１に対して光
学的に各種データの読み込み、または書き込みを行うための光学装置である。なお、ＤＶ
Ｄには複数の規格が存在するため、ＤＶＤスロット２３の規格に準拠したＤＶＤメディア
９１を使用しなければ、各種処理（録画、再生等）を行うことができない。
〈２．擬装コンテンツ情報表示工程について〉
ここで、本発明のＤＶＤ搭載ＨＤＤレコーダ１における擬装コンテンツ情報表示処理の
処理工程を、図１のフロー図と、図３のブロック図と、図４の画面図とを用いながら説明
する。
【００４１】
図１に示すように、制御部１１がユーザーより、ＤＶＤメディア９１に記録されている
コンテンツ情報の表示指示を検知することにより本処理が開始される（Ｓ１１０）。なお
、コンテンツ情報表示指示は、例えばユーザーが操作ボタン群２１を用いてコンテンツ一
覧画面の表示操作等を行なった場合や、ＤＶＤメディア９１がＤＶＤスロット２３に挿入
された場合のメディア検知処理等により発行される。
【００４２】
ユーザーよりコンテンツ情報表示指示を受けた制御部１１は、ＤＶＤスロット２３に認
識可能なＤＶＤメディア９１が格納されているかの確認を行う（Ｓ１２０）。確認の結果
、認識可能なＤＶＤメディア９１が存在しないと判断された場合は、本処理を終了する。
認識可能なＤＶＤメディア９１が存在すると判断された場合、ＤＶＤメディア９１より各
種情報を読み込む。
【００４３】
ＤＶＤメディア９１の認識に成功した制御部１１は、ＨＤＤ１３（もしくはメモリ１２
）に記憶されているＤＶＤ搭載ＨＤＤレコーダ１の設定情報を参照し、設定情報の中から
コンテンツ情報擬装フラグのＯＮ／ＯＦＦ設定状態を確認する（Ｓ１３０）。擬装フラグ
がＯＦＦに設定されている場合、通常通りのコンテンツ情報表示を行う（Ｓ１３５）。な
お、通常通りのコンテンツ情報表示処理は従来技術と同様であるため、ここでは説明を省
略する。
【００４４】
上記Ｓ１３０において、擬装フラグがＯＮに設定されていた場合、制御部１１はＨＤＤ
１３（もしくはメモリ１２）に、後述する擬装コンテンツ情報（ユーザーが擬装用サムネ
イル等を使用して作成した擬装用のコンテンツ情報）が記憶されているかどうかを確認す
る（Ｓ１４０）。ユーザー作成による擬装コンテンツ情報が記憶されている場合、前記の
擬装コンテンツ情報を読み込む（Ｓ１５０ａ）。ユーザー作成による擬装コンテンツ情報
が記憶されていない場合、デフォルトの擬装コンテンツ情報（工場出荷時にＤＶＤ搭載Ｈ
ＤＤレコーダ１に記憶されている、擬装コンテンツ情報のサンプルデータ）を読み込む（
Ｓ１５０ｂ）。
【００４５】
制御部１１は、上記Ｓ１５０ａまたは上記Ｓ１５０ｂにおいて読み出した擬装コンテン
ツ情報をもとに、コンテンツ情報の表示処理を行う（Ｓ１６０）。この具体例を、図４を
用いて説明する。図４（ａ）は、実際にＤＶＤメディア９１に記録されているコンテンツ
情報を用いてコンテンツの内容を表示した画面である。これに対し図４（ｂ）は、本発明
によって作成される擬装コンテンツ情報を用いてコンテンツの内容を表示した画面である
。擬装フラグがＯＦＦの場合は図４（ａ）が、擬装フラグがＯＮの場合は図４（ｂ）が表
示される。
【００４６】
図４（ａ）では、サムネイルに鳩やカラス等が表示されており、鳥類に関するコンテン
ツであることが確認できる。これに対して、図４（ｂ）では、サムネイルに鮒や鰹等が表
示されており、魚類に関するコンテンツであることが確認できる。しかし実際にＤＶＤメ
ディア９１に記録されているコンテンツは図４（ａ）に示すように鳥類に関するコンテン
ツである。また、詳細情報（録画日時、チャンネル等）の情報も、擬装詳細情報により擬
装表示されているため、図４（ａ）と図４（ｂ）とでは、異なる内容となっている。
【００４７】
なお、擬装コンテンツ情報が表示されているコンテンツ（例えば図４（ｂ）のサムネイ
ル画像Ａ（鮒）により示されるコンテンツ）に対して再生処理或いは編集処理等の指示が
なされた場合、擬装が発覚してしまう可能性がある。この場合の対処方法としては、例え
ば視聴不可の警告を表示したり、或いはデータ破損の虚偽情報を提示する等の対応処理を
行うことが望ましい。また或いは、予めＨＤＤ１３にユーザーが予め記憶させておいた擬
装用コンテンツ（この例では鮒に関するコンテンツ）を再生することにより、コンテンツ
情報だけではなく、コンテンツ内部の擬装を行っても良い。
【００４８】
また、擬装フラグがＯＮの状態において、ＨＤＤ１３に記憶されている情報の更新処理
を制限する機能が備わっていることが望ましい。例えば、擬装コンテンツ情報を用いた擬
装表示が行われている状態において、ＨＤＤ１３のフォーマット、あるいは映像情報の編
集、削除といった処理が行われると、コンテンツ情報と記憶データに不整合が発生する。
このため、擬装表示の実施中に、ＨＤＤ１３の記憶データに対して更新を行う処理命令を
受けた場合は、例えば警告を表示する等により、実施不可とすることがより望ましい。
【００４９】
また、擬装フラグがＯＮの状態のまま、擬装表示を通常表示に戻す機能が備わっている
ことが好ましい。この場合、擬装表示の解除方法としては、パスワードの入力や、予め定
められた一定の入力操作（例えば、再生キーの長押し等）により行われる。パスワードの
入力画面を他ユーザーに認識されたくない場合は、ユーザー設定により、パスワード入力
画面を非表示にすることも可能である。また、一定の操作を行うことによりパスワード入
力画面が表示される等の、二重認証処理により擬装解除を行う方法も可能である。
〈３．擬装コンテンツ情報作成工程について〉
ここで、本発明のＤＶＤ搭載ＨＤＤレコーダ１における擬装コンテンツ情報作成処理の
処理工程を、図２のフロー図と、図３のブロック図と、図４の画面図とを用いながら説明
する。
【００５０】
図２に示すように、制御部１１がユーザーからの擬装コンテンツ情報作成指示を検知す
ることにより、本処理が開始される（Ｓ２１０）。なお、擬装コンテンツ情報作成指示は
、例えばユーザーが操作ボタン群２１を用いて擬装コンテンツ情報作成操作を行なった場
合等に発行される。
【００５１】
ユーザーより擬装コンテンツ情報作成指示を受けた制御部１１は、ＤＶＤ搭載ＨＤＤレ
コーダ１の装置状態を確認し、擬装コンテンツ情報が作成出来る状態であるかどうかの確
認を行う。例えば、ＨＤＤ１３に擬装コンテンツ情報を記憶するだけの残容量があるか、
装置トラブルは発生していないか、ＨＤＤ１３の書き込みが禁止されている状態（特殊処
理や、高負荷の処理が行われている場合など）ではないか、等の確認を行う。確認の結果
、作成が可能と判断された場合は、次の処理に移行する。作成が不可と判断された場合は
、本処理を終了する。
【００５２】
次に制御部１１は、ユーザーに対して、擬装コンテンツ情報に使用する擬装用サムネイ
ルを作成するためのＤＶＤメディア９１をＤＶＤスロット２３に挿入するように指示を行
う（Ｓ２３０）。ユーザーによりＤＶＤメディア９１が挿入されると、制御部１１は挿入
されたＤＶＤメディア９１の認識を行い、情報の読み込みが可能であるかどうかを判断す
る（Ｓ２４０）。読み込みが不可能であると判断された場合は、再度Ｓ２３０に移行し、
本処理を終了する。読み込みが可能であると判断された場合は、次の処理に移行する。
【００５３】
制御部１１は、ＤＶＤメディア９１より読み込んだ情報をもとに、擬装コンテンツ情報
作成画面を表示し、ユーザーからの作成指示を待ち受ける（Ｓ２５０）。擬装コンテンツ
情報作成画面では、例えばＤＶＤメディア９１より読み込んだコンテンツのサムネイルが
複数表示されており、その中から任意の擬装用サムネイルを選択することが可能である。
ユーザーは選択された擬装用サムネイルに対し、虚偽の録画情報（虚偽の録画日時、録画
モード、録画チャネル等）を付加することにより、擬装コンテンツ情報を作成することが
可能である。なお、選択した擬装用サムネイルおよび作成した擬装用詳細情報は、本処理
終了後も再度繰り返し使用することを前提として、ＨＤＤ１３に記憶することが可能であ
る。この場合、通常のコンテンツ情報を記憶するコンテンツ情報記憶領域とは物理的に分
割された領域である擬装コンテンツ情報記憶領域に記憶することも可能である。
【００５４】
ユーザーにより擬装コンテンツ情報が作成されたことを検知した制御部１１は、ユーザ
ーに対して、作成した擬装コンテンツ情報を保存するかどうかの確認を行う（Ｓ２６０）
。保存しないと選択された場合、再度Ｓ２５０に移行し、擬装コンテンツ情報作成画面を
表示する。保存することが選択された場合、制御部１１はユーザーに対して保存エリアの
選択を要求する（Ｓ２７０）。これにより例えばユーザーは、作成した擬装コンテンツ情
報をＨＤＤ１３のコンテンツ情報記憶領域に記憶するか、それとも擬装コンテンツ情報記
憶領域に記憶するかを選択することが可能となる。
【００５５】
ユーザーより保存エリア確定の指示を受けた場合（Ｓ２８０）、制御部１１は、ユーザ
ーにより指定された保存エリアに対して、擬装コンテンツ情報を保存する（Ｓ２９０）。
ユーザーより保存エリア決定の指示を受け無かった場合（Ｓ２８０）、Ｓ２５０に移行し
、再度擬装コンテンツ情報作成画面を表示する。
【００５６】
なお、本実施例ではＤＶＤメディア９１より読み込んだ情報をもとに、擬装用詳細情報
、擬装用サムネイル、及び擬装コンテンツ情報を作成しているが、ＨＤＤ１３に予め記憶
された映像情報、コンテンツ情報、或いは擬装コンテンツ情報をもとに、擬装用詳細情報
及び擬装用サムネイルを作成し、それらをもとに擬装コンテンツ情報を作成することも可
能である。
〈４．本発明の種々ある特徴について〉
本実施形態によると、ユーザーよりコンテンツ情報表示指示を受けた場合に、ＤＶＤ搭
載ＨＤＤレコーダ１の設定情報を参照し、コンテンツ情報擬装フラグのＯＮ／ＯＦＦの状
態を確認し（Ｓ１３０）擬装フラグがＯＦＦに設定されている場合、通常通りのコンテン
ツ情報表示を行う（Ｓ１３５）。擬装フラグがＯＮに設定されている場合、ＨＤＤ１３に
ユーザーが作成した擬装コンテンツ情報が記憶されているかどうかを確認し（Ｓ１４０）
、記憶されている場合は記憶されているユーザー作成による擬装コンテンツ情報を、記憶
されていない場合は、デフォルトの（工場出荷時にＨＤＤ１３に記憶されている）擬装コ
ンテンツ情報を用いて、コンテンツ情報の擬装表示処理を行う（Ｓ１６０）。
【００５７】
これにより、コンテンツ情報が他ユーザーに知られたくない場合に、擬装コンテンツ情
報を用いて、擬装が行われていることを認識されることなく、コンテンツ情報の漏洩を防
ぎ、個人情報の保護を行うことが可能である。
【００５８】
また本実施形態によると、ユーザーは擬装コンテンツ情報作成画面において、擬装コン
テンツ情報の作成処理を行うことが可能である。擬装コンテンツ情報作成画面では、ＤＶ
Ｄメディア９１より読み取ったデータを元に擬装用サムネイルを作成し、擬装用サムネイ
ルに虚偽の録画情報（擬装用詳細情報）を付加することにより、擬装コンテンツ情報を作
成することが可能である。作成された擬装コンテンツ情報はＨＤＤ１３に保存され、コン
テンツ情報表示処理において、擬装コンテンツ情報として使用することが可能である。
【００５９】
これにより、ユーザーは擬装コンテンツ情報をＤＶＤメディア９１単位で作成し、かつ
ＤＶＤメディア９１に擬装コンテンツ情報を記憶する必要がない。このため、例えば書き
込みが不可能なＤＶＤメディア９１においても、擬装表示を行うことが可能である。また
例えば、ＤＶＤメディア９１の数が１００枚を越えるような膨大な数である場合において
も、一つ一つのＤＶＤメディア９１に対して擬装処理を施す必要がない。擬装の実施、未
実施の選択はＤＶＤ搭載ＨＤＤレコーダ１側の設定により行うため、ユーザーにとって少
ない作業量でコンテンツ情報の擬装を行うことができるため、利便性が向上する。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実施することができる。
【００６０】
例えば前述した実施形態の機能を実現するソフトウェアのプログラムコードを記録した
記録媒体を、ＤＶＤ搭載ＨＤＤレコーダ１に供給し、そのＤＶＤ搭載ＨＤＤレコーダ１内
のコンピュータ（例えばＣＰＵ）が記録媒体に格納されたプログラムコードを読出し実行
することによっても、達成されることは言うまでもない。
【００６１】
この場合、記録媒体から読出されたプログラムコード自体が、前述した実施形態の機能
を実現することになり、そのプログラムコードを記憶した記録媒体は本発明を構成するこ
とになる。
【００６２】
なお、プログラムコードを供給するための記録媒体としては、例えば、フロッピディス
ク、ハードディスク、光ディスク、光磁気ディスク、ＣＤ−ＲＯＭ、ＣＤ−Ｒ、磁気テー
プ、不揮発性のメモリカード、ＲＯＭなどを用いることができる。
【００６３】
また、コンピュータが読出したプログラムコードを実行することにより、前述した実施
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実施形態の機能が実現される場合も含まれることは
言うまでもない。
【００６４】
さらに、記録媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実施形態
の機能が実現される場合も含まれることは言うまでもない。
【００６５】
また、本発明の映像情報処理方法が、ＤＶＤ搭載ＨＤＤレコーダ以外の、ＤＶＤおよび
ＨＤＤを搭載した記録再生装置において用いられたとしても、同様の効果がえられること
は言うまでもない。なお、ＤＶＤとＨＤＤの両方を搭載した記録再生装置としては、例え
ばビデオテープレコーダ（ＶＴＲ）、ＤＶレコーダ、デジタルビデオカメラ、パソコン等
が考えられる。
【図面の簡単な説明】
【００６６】
【図１】本発明のＤＶＤ搭載ＨＤＤレコーダによる擬装コンテンツ情報表示処理の処理フロー図である。
【図２】本発明のＤＶＤ搭載ＨＤＤレコーダによる擬装コンテンツ情報作成処理の処理フロー図である。
【図３】本発明のＤＶＤ搭載ＨＤＤレコーダ内部の要部構成を示したブロック図である。
【図４】本発明のＤＶＤ搭載ＨＤＤレコーダにおけるコンテンツ情報表示画面の一例を示した画面図である。
【符号の説明】
【００６７】
１      ＤＶＤ搭載ＨＤＤレコーダ（光学記録媒体再生機能付き記録再生装置）
１１    制御部
１２    メモリ
１３    ＨＤＤ（記憶部）
１４    データ入力部
１５    エンコーダ部
１６    デコーダ部
１７    データ出力部
２３    ＤＶＤスロット
９１    ＤＶＤメディア（光学記録媒体）
【図１】
2007058923.tif 000003
【図２】
2007058923.tif 000004
【図３】
2007058923.tif 000005
【図４】
2007058923.tif 000006